(57)【要約】      （修正有）【課題】充電台から電力を受ける受電端末で、載置位置が１箇所に固定されることなく、かつ載置方向は縦載置も横載置も可能で、感電に対する保護を有する受電電極を覆う複数のシャッターを有する受電端末の構造を提供する。【解決手段】受電端末１１の底面１２に受電電極４１と受電電極４１を覆う感電防止用のシャッター２１を設け、充電台１の受電端末載置面２には送電電極３とシャッター解除突起５を設け、受電端末１１を充電台１に載置するとシャッター２１がシャッター解除突起５に押されて開くことで受電電極４１が露出して送電電極３と接触して電力を受電する。また受電電極４１を同一面に複数個設けることで受電端末の載置位置が１箇所に固定されることなく、また底面１２以外の複数面にも同様に受電電極を設けることで縦載置も横載置も可能とし、載置位置や方向に自由度を持たせることを特徴とする。【選択図】図５
0003183800.tif 000002
【実用新案登録請求の範囲】
【請求項１】
自受電端末を載置した充電台から電力を受電し、自受電端末の動作または自受電端末が備える二次電池を充電する受電端末の構造であって、
前記充電台の給電電極が形成されている面と対向する自受電端末の筐体の面に形成される複数の受電電極と、前記受電電極の各々の表面を覆う複数のシャッターと、前記シャッターの各々を回転自在に保持する回転軸と、前記受電電極を前記シャッターで閉塞する方向へ働く複数の閉塞バネと、を有し、
前記シャッターは、前記受電電極を覆うカバー部と前記回転軸を支点として前記シャッターを開閉させるレバー部とから構成され、前記レバー部は、自受電端末が前記充電台に載置された場合に、前記充電台の所定の部位に形成されている前記レバー部を押し込むための突起部と接触する位置に形成されていることを特徴とする受電電極を覆う複数のシャッターを有する受電端末の構造。
【考案の詳細な説明】
【技術分野】
【０００１】
自端末が備える筐体の側面にシャッターを有する受電電極を具備する端末に関し、特に、当該受電電極における電力の誘起防止技術に関する。
【背景技術】
【０００２】
特許文献１には、電力を変換する給電部と電力を蓄積する電池部で構成される載置端末と、載置端末に載置して受電する携帯電話がある。携帯電話を載置端末に載置すると、給電部から電池部を切り離して携帯電話にロックさせ、電池部の電力を携帯電話に供給する端末がある。  
【先行技術文献】
【特許文献】
【０００３】
【特許文献１】特開２０１１−１５５６０８号公報
【考案の概要】
【考案が解決しようとする課題】
【０００４】
しかしながら、この端末は、携帯電話が電池部から電力を受電するときに、携帯電話と電池部が一カ所でロックしたときにのみ、電池部から電力を受電することが可能である。そのため、ＡＣ電源から給電させる場合に携帯電話の位置が固定されてしまい、載置位置を変えてＡＣ電源で給電することが出来ない。また、携帯電話を縦載置や横載置で使用することが困難であった。
【０００５】
そこで、本発明の課題は、充電台に対する受電端末の載置位置が一箇所に固定されることなく、複数箇所の載置位置で電力を受電することが可能であって、さらに操作者が感電することを防止できる受電端末を提供することにある。
【課題を解決するための手段】
【０００６】
上記の課題を解決するために、本考案は、自受電端末を載置した充電台から電力を受電し、自受電端末の動作または自受電端末が備える二次電池を充電する受電端末の構造であって、
前記充電台の給電電極が形成されている面と対向する自受電端末の筐体の面に形成される複数の受電電極と、前記受電電極の各々の表面を覆う複数のシャッターと、前記シャッターの各々を回転自在に保持する回転軸と、前記受電電極を前記シャッターで閉塞する方向へ働く複数の閉塞バネと、を有し、前記シャッターは、前記受電電極を覆うカバー部と前記回転軸を支点として前記シャッターを開閉させるレバー部とから構成され、前記レバー部は、自受電端末が前記充電台に載置された場合に、前記充電台の所定の部位に形成されている前記レバー部を押し込むための突起部と接触する位置に形成されていることを特徴とする。
【考案の効果】
【０００７】
本発明によれば、複数の給電電極またはレール状の給電電極が形成されている充電台に載置する際に、充電台に形成されている突起と対向する部位のシャッターだけが開き、その他のシャッターは閉塞状態のままなので、受電している受電電極以外の受電電極による  短絡の危険性が少ないという利点がある。
【図面の簡単な説明】
【０００８】
【図１】本考案による一実施例の構成を示す図で、充電台に受電端末を載置した状態の斜視図である。
【図２】本考案による一実施例の構成を示す図で、受電端末を受電電極側から見た斜視図である。
【図３】本考案による一実施例の構成を示す図で、充電台を示す斜視図である。
【図４】本考案による一実施例の構成を示す図で、受電端末の底面を充電台に向けて載置する直前の状態示す斜視図である。
【図５】本考案による一実施例の構成を示す図で、受電端末の底面を充電台に向けて載置した状態を示す斜視図である。
【図６】本考案による一実施例の構成を示す図で、受電端末の中央と充電台の中央の位置を一致させずに、横にずれた状態で載置した図である。
【図７】本考案による一実施例の構成を示す図で、受電端末の側面を充電台に向けて載置した状態である。
【考案を実施するための形態】
【０００９】
以下、図面を参照して本考案の実施の形態について詳細を説明する。図１は本考案による一実施例の構成を示す図で、充電台に受電端末を載置した状態の斜視図である。
【００１０】
１は充電台、１１は受電端末を示す。受電端末１１を充電台１に載置し、受電端末１１が充電台１から電力を受電すると、受電端末１１の動作又は受電端末１１の二次電池を充電する。詳細を以下に説明する。
【００１１】
図２は本考案による一実施例の構成を示す図で、受電端末１１を受電電極側から見た斜視図である。１２は受電端末１１の底面を示す。
【００１２】
受電端末１１の底面１２には、底面のシャッター２１と、底面のグランドレーン２２を有している。
【００１３】
底面のシャッター２１は、底面１２に複数個を設けており、充電台１からの電力を受電する受電電極４１（後述）が内蔵されている。底面のシャッター２１が受電電極４１を覆うことで保護しており、底面のシャッター２１が開いたときにのみ受電電極４１が露出するため、直接手を触れて感電しないようにしている。また、底面のシャッター２１は自重による撓みで変形しない強度を有するものとする。
【００１４】
グランドレーン２２は、受電端末１１の底面１２に１つの電極で設けており、本実施例においてはシャッター等の保護をせず露出している。なお、塵埃等からの保護を目的にシャッターを設けてもよく、設置場所や用途などに応じて選択してもよい。
【００１５】
受電端末１１の右側面１３には、底面１２のシャッター２１や底面１２のグランドレーン２２と同様に、右側面のシャッター２３と、右側面のグランドレーン２４を有している。さらに、左側面１４も右側面１３と同様の構造を有している（図示せず）。
【００１６】
図３は本考案による一実施例の構成を示す図で、充電台１を示す斜視図である。２は充電台１に受電端末１１を載置する載置部である。３は充電台１の送電電極、４はグランド電極、５はシャッター解除突起である。
【００１７】
図４（ａ）は、本考案による一実施例の構成を示す図で、受電端末１１の底面１２を充電台１の載置部２側に向けて、充電台１に載置する直前の状態を示す斜視図である。図４（ｂ）は、図４（ａ）における断面Ａ−Ａを示す。また図４（ｃ）は、図４（ｂ）におけるＢの詳細図を示す。３１は底面のシャッター２１が閉じる方向に荷重を加えている底面の閉塞バネ、３２は底面のシャッター２１の回転軸、３３は底面のシャッターが有するレバー部である。
【００１８】
本図に示す通り、受電端末１１を充電台１に載置していない状態では、底面のシャッターのレバー部３３は底面の閉塞バネ３１から荷重がかかり、閉じた状態となっているので、受電電極４１はシャッター２１に覆われていて端末外部から触れることができない。なお、本実施例における図では底面の閉塞バネ３１をねじりバネとしているが、底面のシャッター２１のレバー部３３に荷重を加えてかつ柔軟性を有していれば本図の形状に拘る必要はなく、例えば板バネや、スポンジなどの反力を有する発泡材で底面のシャッター２１のレバー部３３に荷重をかけてもよい。ここでは、受電端末１１が充電台１に対して非載置状態であるときに、底面のシャッター２１が閉じるように荷重をかけていればよい。
【００１９】
グランドレーン２２は、充電台１１の底面１２の表面と同一面か又は突起しているが、受電端末１１を充電台１に載置する直前の状態なので、充電台１のグランド電極４とは接触していない。
【００２０】
図５（ａ）は、本考案による一実施例の構成を示す図で、受電端末１１の底面１２が充電台１の載置部２と対向する方向に向けて、充電台１に載置した状態を示す斜視図である。図５（ｂ）は、図５（ａ）における断面Ｃ−Ｃを示す。また図５（ｃ）は、図５（ｂ）におけるＤの詳細図を示す。
【００２１】
充電台１の載置部２に受電端末１１を載置したとき、充電台１が有するシャッター解除突起５が、受電端末１１が有する底面のシャッターのレバー部３３を押し上げ、底面のシャッター２１が回転軸３２を支点とし回転して開き、受電電極４１が露出する。
【００２２】
このとき、充電台１の送電電極３と受電端末１１の受電電極４１が接触し、かつ充電台１のグランド電極４と受電端末１１の底面のグランドレーン２２が接触するため、受電端末１１は充電台１より電力を受けることができる。
【００２３】
このとき、右側面に設けた受電電極や左側面に設けた受電電極（図示せず）も、底面の受電電極４１と同様に電力を帯びるが、右側面のシャッター２３並びに左側面のシャッター（図示せず）が電力を帯びた受電電極を覆っている。
【００２４】
操作者が受電端末１１を充電台１から取り外すときは、不意に受電端末１１の右側面１３や左側面１４に触れる可能性が極めて高いが、その場合においても感電の危険から保護する事ができる。
【００２５】
図６は、本考案による一実施例の構成を示す図で、受電端末１１の中央と充電台１の中央の位置を一致させずに、横にずれた状態で載置した図である。つまり、図２に示す通り、受電端末１１の底面１２のシャッター２１ならびに内蔵する受電電極４１を複数個有することで、受電端末１１は充電台１の中央の位置を一致させずに載置しなくても、底面１２の受電電極４１ならびに底面１２のグランドレーン２２が送電電極３ならびにグランド電極４と接触するので、受電端末１１の載置位置が１箇所に固定されず、載置位置の自由度が大きくなる。そのために載置を容易に行うことができる。
【００２６】
図７（ａ）は、本考案による一実施例の構成を示す図で、受電端末１１の右側面１３を充電台１の載置部２側に向けて載置した状態である。
【００２７】
つまり、図２に示す通り、受電端末１１の右側面のシャッター２３、右側面のグランドレーン２４、ならびに内蔵する受電電極を右側面１３にも設ける事で、このような方向で載置しても受電状態となる。同様に、図７（ｂ）のように受電端末１１の左側面１４を充電台１側に向けて載置した状態であっても、受電状態とすることが可能である。
【００２８】
これにより、図２のように底面１２を充電台１の載置部２側に向けて載置する方向を縦載置という場合、図７（ａ）ならびに（ｂ）は横載置となり、縦載置ならびに横載置ともに可能な送受電端末を実現することができる。
【００２９】
なお、本実施の形態では、底面１２が格子状に口が開いており、個々に底面のシャッター２１を配置することを想定しているが、その限りではない。底面１２の格子状に開いていた口を、連続した１つの口にしてシャッターを設けるようにしても良い。こうすることで、受電端末１１を充電台１に載置したときに、連続した１つの口のどの位置でも受電できるようになり、使い勝手が向上する。
【００３０】
また、底面のシャッター２１は、突起が無いときにシャッターをロックする機能を設けて、シャッター解除突起５と底面のシャッター２１が接しない時は、底面のシャッター２１をロックすることにより、誤ってシャッターが開かないようにしても良い。
【符号の説明】
【００３１】
１        充電台
２        充電台における受電端末の載置部
３        送電電極
４        グランド電極
５        シャッター解除突起
１１      受電端末
１２      受電端末の底面
１３      受電端末の右側面
１４      受電端末の左側面
２１      受電端末の底面のシャッター
２２      受電端末の底面のグランドレーン
２３      受電端末の右側面のシャッター
２４      受電端末の右側面のグランドレーン
３１      受電端末の底面の閉塞バネ
３２      受電端末の底面の閉塞バネの回転軸
３３      受電端末底面のシャッターのレバー部
４１      受電端末の底面の受電電極
【図１】
0003183800.tif 000003
【図２】
0003183800.tif 000004
【図３】
0003183800.tif 000005
【図４】
0003183800.tif 000006
【図５】
0003183800.tif 000007
【図６】
0003183800.tif 000008
【図７】
0003183800.tif 000009